(57)【要約】【課題】目的とするオペレーション画面に容易に到達することが可能なプラント操作監視装置を提供する。【解決手段】検索手段は、個々のオペレーション画面において表示対象となるプラントの情報要素を定義したデータに基づいて、各前記情報要素が表示対象とされている前記オペレーション画面を検索する。一覧表示手段は、前記検索手段による検索で抽出された前記オペレーション画面を示す一覧情報を表示する。画面選択受付手段は、前記一覧情報により示された前記オペレーション画面の中から特定のオペレーション画面の選択を受け付ける。【選択図】図１
2011154429.tif 000002
【特許請求の範囲】
【請求項１】
複数の切り替え可能なオペレーション画面を介してプラントに対する操作を受け付けるプラント操作監視装置において、
個々の前記オペレーション画面において表示対象となるプラントの情報要素を定義したデータに基づいて、各前記情報要素が表示対象とされている前記オペレーション画面を検索する検索手段と、
前記検索手段による検索で抽出された前記オペレーション画面を示す一覧情報を表示する一覧表示手段と、
前記一覧情報により示された前記オペレーション画面の中から特定のオペレーション画面の選択を受け付ける画面選択受付手段と、
前記選択受付手段により選択を受け付けた前記特定のオペレーション画面を表示するオペレーション画面表示手段と、
を備えることを特徴とするプラント操作監視装置。
【請求項２】
前記検索手段による検索対象となる前記情報要素の指定を受け付ける情報要素指定受付手段を備え、
前記検索手段は、前記情報要素指定受付手段により指定を受け付けた前記情報要素が表示対象とされている前記オペレーション画面を検索することを特徴とする請求項１に記載のプラント操作監視装置。
【請求項３】
前記検索手段は、特定の条件を満たす前記情報要素が表示対象とされている前記オペレーション画面を検索することを特徴とする請求項１または２に記載のプラント操作監視装置。
【請求項４】
前記一覧表示手段は、前記一覧情報として前記オペレーション画面を示す文字列を一覧表示することを特徴とする請求項１〜３のいずれか１項に記載のプラント操作監視装置。
【請求項５】
前記一覧表示手段は、前記一覧情報として前記オペレーション画面またはその縮小画面を一覧表示することを特徴とする請求項１〜３のいずれか１項に記載のプラント操作監視装置。
【請求項６】
複数の切り替え可能なオペレーション画面を介してプラントに対する操作を受け付けるプラント操作監視方法において、
コンピュータに、
個々の前記オペレーション画面において表示対象となるプラントの情報要素を定義したデータに基づいて、各前記情報要素が表示対象とされている前記オペレーション画面を検索するステップと、
前記検索するステップによる検索で抽出された前記オペレーション画面を示す一覧情報を表示するステップと、
前記一覧情報により示された前記オペレーション画面の中から特定のオペレーション画面の選択を受け付けるステップと、
前記選択を受け付けるステップにより選択を受け付けた前記特定のオペレーション画面を表示するステップと、
を実行させることを特徴とするプラント操作監視方法。
【発明の詳細な説明】
【技術分野】
【０００１】
本発明は、複数の切り替え可能なオペレーション画面を介してプラントに対する操作を受け付けるプラント操作監視装置等に関する。
【背景技術】
【０００２】
プラントオペレーションにおいてアラームが発生した場合、オペレータは通常、以下の対処手順に従って作業を行う。
（１）アラーム確認画面でアラームの発生を確認する。
（２）アラームが発生しているタグを確認する。
（３）プラント全体あるいは一部を俯瞰できるオペレーション画面（オーバービュー画面）を表示させる。
（４）オペレーション画面（オーバービュー画面）に基づいてアラームが発生している箇所を確認する。
（５）現在表示されているオペレーション画面から、アラームが発生している箇所を示すオペレーション画面を展開表示させる。
（６）目的とするオペレーション画面（アラームが発生しているタグを含むオペレーション画面）が表示されるまで、上記（３）〜（５）を繰り返す。
（７）目的とするオペレーション画面において、アラームの原因を調査し、必要な操作を実行する。
【先行技術文献】
【特許文献】
【０００３】
【特許文献１】特開２００８−０４６７８７号公報
【発明の概要】
【発明が解決しようとする課題】
【０００４】
上記のようにオペレーション画面を階層化して構築しておくことにより、オペレータは画面を順次、展開表示させることで目的とするオペレーション画面に到達することができる。しかし、プラントのシステムが大規模になると、画面構成の階層が増えてオーバービュー画面が深いツリーとなるため、目的とする画面に到達するまでの時間や手間がかかる。とくに、上記（３）〜（５）の作業は定型化された作業であり、オペレータにとって負担となる。また、大規模なプラントを俯瞰するオーバービュー画面を構築するためのエンジニアリング作業も大きな負担となる。さらに、プラントにおける設備変更に合わせて画面構成をエンジニアリングする必要もある。
【０００５】
本発明の目的は、目的とするオペレーション画面に容易に到達することが可能なプラント操作監視装置を提供することにある。
【課題を解決するための手段】
【０００６】
本発明のプラント操作監視装置は、複数の切り替え可能なオペレーション画面を介してプラントに対する操作を受け付けるプラント操作監視装置において、個々の前記オペレーション画面において表示対象となるプラントの情報要素を定義したデータに基づいて、各前記情報要素が表示対象とされている前記オペレーション画面を検索する検索手段と、前記検索手段による検索で抽出された前記オペレーション画面を示す一覧情報を表示する一覧表示手段と、前記一覧情報により示された前記オペレーション画面の中から特定のオペレーション画面の選択を受け付ける画面選択受付手段と、前記選択受付手段により選択を受け付けた前記特定のオペレーション画面を表示するオペレーション画面表示手段と、を備えることを特徴とする。
このプラント操作監視装置によれば、情報要素が表示対象とされているオペレーション画面を検索し、抽出されたオペレーション画面を示す一覧情報を表示するとともに、一覧情報により示されたオペレーション画面の中から特定のオペレーション画面の選択を受け付けるので、目的とするオペレーション画面に容易に到達することが可能となる。
【０００７】
前記検索手段による検索対象となる前記情報要素の指定を受け付ける情報要素指定受付手段を備え、前記検索手段は、前記情報要素指定受付手段により指定を受け付けた前記情報要素が表示対象とされている前記オペレーション画面を検索してもよい。
【０００８】
前記検索手段は、特定の条件を満たす前記情報要素が表示対象とされている前記オペレーション画面を検索してもよい。
【０００９】
前記一覧表示手段は、前記一覧情報として前記オペレーション画面を示す文字列を一覧表示してもよい。
【００１０】
前記一覧表示手段は、前記一覧情報として前記オペレーション画面またはその縮小画面を一覧表示してもよい。
【００１１】
本発明のプラント操作監視方法は、複数の切り替え可能なオペレーション画面を介してプラントに対する操作を受け付けるプラント操作監視方法において、コンピュータに、個々の前記オペレーション画面において表示対象となるプラントの情報要素を定義したデータに基づいて、各前記情報要素が表示対象とされている前記オペレーション画面を検索するステップと、前記検索するステップによる検索で抽出された前記オペレーション画面を示す一覧情報を表示するステップと、前記一覧情報により示された前記オペレーション画面の中から特定のオペレーション画面の選択を受け付けるステップと、前記選択を受け付けるステップにより選択を受け付けた前記特定のオペレーション画面を表示するステップと、を実行させることを特徴とする。
このプラント操作監視方法によれば、情報要素が表示対象とされているオペレーション画面を検索し、抽出されたオペレーション画面を示す一覧情報を表示するとともに、一覧情報により示されたオペレーション画面の中から特定のオペレーション画面の選択を受け付けるので、目的とするオペレーション画面に容易に到達することが可能となる。
【発明の効果】
【００１２】
本発明のプラント操作監視装置によれば、情報要素が表示対象とされているオペレーション画面を検索し、抽出されたオペレーション画面を示す一覧情報を表示するとともに、一覧情報により示されたオペレーション画面の中から特定のオペレーション画面の選択を受け付けるので、目的とするオペレーション画面に容易に到達することが可能となる。
【００１３】
本発明のプラント操作監視方法によれば、情報要素が表示対象とされているオペレーション画面を検索し、抽出されたオペレーション画面を示す一覧情報を表示するとともに、一覧情報により示されたオペレーション画面の中から特定のオペレーション画面の選択を受け付けるので、目的とするオペレーション画面に容易に到達することが可能となる。
【図面の簡単な説明】
【００１４】
【図１】プラント操作監視装置が適用されるフィールド制御システムの構成例を示すブロック図。
【図２】操作監視装置の操作監視画面を例示する図。
【図３】画像データの構成を例示する図。
【図４】自動的にオペレーション画面を抽出する場合の動作を示すフローチャート。
【図５】オペレーション画面の一覧表示画面を例示する図。
【発明を実施するための形態】
【００１５】
以下、本発明によるプラント操作監視装置の実施形態について説明する。
【００１６】
図１は、本実施形態のプラント操作監視装置が適用されるフィールド制御システムの構成例を示すブロック図である。
【００１７】
図１に示すように、フィールド制御システムはプラントに分散配置されたフィールドコントローラ２，２，・・・と、フィールドコントローラ２，２，・・・を介してプラントに対する操作監視を行うための操作監視装置３とを備える。フィールドコントローラ２には、それぞれフィールド機器１，１，・・・が接続され、フィールドコントローラ２，２，・・・および操作監視装置３は、通信回線５を介して互いに接続される。
【００１８】
フィールド機器１，１，・・・に対する設定データおよびフィールド機器１，１，・・・から得られるプロセスデータのそれぞれにはタグ名が付されており、これらのデータはタグとして取り扱われる。タグは操作監視装置３における操作、監視の対象となり、タグを操作、監視することによりプラントの操業が行われる。「タグ」は本発明における「プラントの情報要素」に対応する。
【００１９】
図１に示すように、操作監視装置３は、個々のオペレーション画面において表示対象となるタグを定義したデータに基づいて、各タグが表示対象とされているオペレーション画面を検索する検索手段３１と、検索手段３１による検索で抽出されたオペレーション画面を示す一覧情報を表示する一覧表示手段３２と、上記一覧情報により示されたオペレーション画面の中から特定のオペレーション画面の選択を受け付ける画面選択受付手段３３と、選択受付手段３３により選択を受け付けた上記特定のオペレーション画面を表示するオペレーション画面表示手段３４と、検索手段３１による検索対象となるタグの指定を受け付ける情報要素指定受付手段３５と、を構成する。
【００２０】
また、操作監視装置３にはオペレーション画像の画像データが格納された検索サーバ３６が接続されている。
【００２１】
次に、操作監視装置３を用いてアラームに対処する際の手順について説明する。
【００２２】
図２は、操作監視装置３の操作監視画面（オペレーション画面）を例示する図である。オペレータはこのような操作監視画面を介してプラントの状態を把握することができるとともに、操作監視画面を介してプラントに対する操作を行うことができる。
【００２３】
図２に示すアラーム確認画面４１は、プラントオペレーションにおけるアラーム発生時に表示される。オペレータはアラーム確認画面４１によりアラームの発生を確認するとともに、アラームが発生しているタグを確認することができる。
【００２４】
次に、オペレータは図２に示す検索画面４２を用いて、アラームが発生しているタグが表示対象として含まれるオペレーション画面の検索を指示することができる。検索画面４２は、オペレータの指示操作に応じて画面表示される。あるいは、アラーム発生時に自動的に画面表示するようにしてもよい。
【００２５】
次に、オペレータは検索画面４２の領域４２ａにアラームが発生しているタグを入力し、ボタン４２ｂを操作する。図２の例では、タグ「ＦＩＣ０００１」にアラームが発生し、領域４２ａにそのタグが入力されている。
【００２６】
ボタン４２ｂを操作すると、情報要素指定受付手段３５は、領域４２ａに入力されたタグ「ＦＩＣ０００１」の指定を受け付け、検索手段３１はそのタグ「ＦＩＣ０００１」が表示対象として含まれているオペレーション画面を検索する。
【００２７】
図３（ａ）は検索手段３１の検索対象である検索サーバ３６の画像データの構成を例示する図である。図３（ａ）に示すように、検索サーバ３６には、画像データとして、オペレーション画像と、そのオペレーション画像に含まれるタグとを対応付けるテーブルが格納されている。このようなテーブルは、オペレーション画像の作成時に、あるいはその後の適時に、検索サーバ３６に取り込まれる。図３（ａ）の例では、例えば、オペレーション画面「ＴＡＮＫ０１」に、タグ「ＦＩＣ０００１」，タグ「ＦＩＣ０００２」等が、オペレーション画面「ＴＡＮＫ０２」に、タグ「ＦＩＣ０００１」，タグ「ＦＩＣ０００５」等が、それぞれ対応付けられている。
【００２８】
このような対応付けはオペレーション画面の表示のために必須な情報（画像データ）であるため、オペレーション画面がすでに作成されていれば煩雑なエンジニアリング作業を要することなく、画像データに基づいてこのようなテーブルを自動的に構築することが可能である。
【００２９】
検索の結果抽出されたオペレーション画面の一覧は、一覧表示手段３２により検索画面４２の領域４３に表示される。図２の例では、各オペレーション画面の名称（「ＴＡＮＫ０１」，「ＴＡＮＫ０２」，・・・）が一覧表示されている。これらの個々のオペレーション画面には、それぞれタグ「ＦＩＣ０００１」が表示対象として含まれている。
【００３０】
オペレータは、領域４３に表示されたオペレーション画面の中から任意の画面を選択することができる。図２の例では、領域４３ａが選択されており、画面選択受付手段３３およびオペレーション画面表示手段３４の機能により、領域４３ａに対応付けられた「ＴＡＮＫ０１」のオペレーション画面４４が画面表示される。
【００３１】
オペレータはオペレーション画面４４を参照することで、アラームの原因を調査し、必要な操作を実行することができる。また、必要に応じて領域４３に表示されたオペレーション画面の中から別のオペレーション画面を選択し、このオペレーション画面を表示させることができる。
【００３２】
なお、検索手段３１による検索を前もって実行して抽出したタグの一覧、あるいはオペレータの指示に応じて実行した検索手段３１による検索により抽出したタグの一覧を保存しておいてもよい。図３（ｂ）は抽出結果をテーブルとして保存する例を示している。図３（ｂ）に示すように、このテーブルでは各タグにオペレーション画面が対応付けられている。例えば、タグ「ＦＩＣ０００１」を含むオペレーション画面としてオペレーション画面「ＴＡＮＫ０１」，「ＴＡＮＫ０２」，「ＴＡＮＫ０３」，・・・等が対応付けられている。このようなテーブルを利用することで、オペレーション画面の一覧をより迅速に表示させることができる。
【００３３】
以上のように、本実施形態のプラント操作監視装置によれば、システム規模に依らず、オペレータは目的とするオペレーション画面を簡単な操作で画面表示させることができる。このため、操作監視作業の効率を向上させることができる。
【００３４】
また、オーバービュー画面の作成を省略することも可能となり、オーバービュー画面の作成のための煩雑なエンジニアリング作業が不要となるため、エンジニアリング効率を向上させることができる。
【００３５】
上記実施形態では、オペレータの指示に応じてオペレーション画面を検索する例を示したが、アラーム発生時にアラーム発生中のタグをキーとして、オペレーション画面を自動的に抽出してもよい。
【００３６】
図４は、自動的にオペレーション画面を抽出する場合の動作を示すフローチャートである。
【００３７】
図４のステップＳ１では、アラーム発生が検出されるのを待って、ステップＳ２へ進む。ステップＳ２では、アラームが発生しているタグを取得する。
【００３８】
次に、ステップＳ３では、ステップＳ２で取得されたタグをキーとして検索手段３１により画像データを検索し、当該タグが含まれるオペレーション画面を抽出する。
【００３９】
次に、ステップＳ４では、一覧表示手段３２により、ステップＳ３で抽出されたオペレーション画面の一覧を画面表示する。
【００４０】
次に、ステップＳ５では、画面選択受付手段３３によるオペレーション画面の選択の受け付けを待ってステップＳ６へ進む。
【００４１】
ステップＳ６では、オペレーション画面表示手段３４により、ステップＳ５で選択を受け付けたオペレーション画面を画面表示し、ステップＳ１へ戻る。
【００４２】
このように、ステップＳ１〜ステップＳ６の処理では、アラームが発生した場合には、アラームが発生しているタグを含むオペレーション画面を自動的に抽出するため、オペレータの操作を要することなくオペレーション画面の一覧が画面表示される。
【００４３】
なお、自動的にオペレーション画面を検索する前に、オペレータの意思を確認してもよい。この場合、例えば、領域４２ａに予めキーとなるタグを表示した検索画面４２（図２）を画面表示することで、オペレータによる検索の指示操作を誘導することができる。
【００４４】
また、検索のキーとするタグの決め方は任意である。例えば、特定のアラーム（例えば、重大なアラーム）が発生しているタグや、任意の状態のタグ（例えば、手動操作の対象となっているタグ）などを検索のキーとすることができる。
【００４５】
図５はオペレーション画面の一覧として、オペレーション画面自体を並べる例を示している。図５に示す一覧表示画面４５の例では、検索により抽出されたオペレーション画面の縮小画面４５ａ，４５ｂ，４５ｃ，・・・を一覧表示している。オペレータは任意の縮小画面を操作することで、該当するオペレーション画面を選択、表示させることができる。このように、オペレーション画面を選択させる受け付け画面として、オペレーション画面またはその縮小画面を一覧表示してもよい。
【００４６】
以上説明したように、本発明のプラント操作監視装置およびプラント操作監視方法によれば、情報要素が表示対象とされているオペレーション画面を検索し、抽出されたオペレーション画面を示す一覧情報を表示するとともに、一覧情報により示されたオペレーション画面の中から特定のオペレーション画面の選択を受け付けるので、目的とするオペレーション画面に容易に到達することが可能となる。
【００４７】
本発明の適用範囲は上記実施形態に限定されることはない。本発明は、複数の切り替え可能なオペレーション画面を介してプラントに対する操作を受け付けるプラント操作監視装置等に対し、広く適用することができる。
【符号の説明】
【００４８】
３１    検索手段
３２    一覧表示手段
３３    画面選択受付手段
３４    オペレーション画面表示手段
３５    情報要素指定受付手段
【図１】
2011154429.tif 000003
【図２】
2011154429.tif 000004
【図３】
2011154429.tif 000005
【図４】
2011154429.tif 000006
【図５】
2011154429.tif 000007